(57)【要約】【課題】  検索サイトで提供される検索機能と同様な利用環境を提供し、検索方法の違いを意識しないで、より広範囲のＷｅｂページを検索できるＷｅｂページ検索方法及びＷｅｂページ検索システムを提供すること。【解決手段】  検索範囲設定手段１１１に設定された範囲のグローバルＩＰアドレスを順次指定し、この指定アドレスにインターネット１０上で接続して、指定されたグローバルＩＰアドレスのインターネットでの有無を検索し、アドレス検索手段１２１によりインターネット１０での存在が検出されたＩＰアドレスからＵＲＬを逆引きし、該当するＵＲＬがある場合はこのＵＲＬによるＷｅｂページを取り込み、ＵＲＬ逆引き手段１２２の逆引き結果により取り込まれたＷｅｂページの中にキーワード設定手段１１２に設定されたキーワードが含まれているかを検索し、キーワード検索手段１２３の検索結果によりキーワードが含まれているＷｅｂページをダウンロードするＷｅｂページ検索システム。【選択図】図１
2006244400.tif 000002
【特許請求の範囲】
【請求項１】
検索範囲として設定された所定範囲のグローバルＩＰアドレスを順次指定し、この指定されたグローバルＩＰアドレスにインターネット上で接続して、指定されたグローバルＩＰアドレスのインターネットでの有無を検索し、
この検索によりインターネットでのグローバルＩＰアドレスの存在が検出されるとそのグローバルＩＰアドレスから対応付けられたＵＲＬを逆引きし、該当するＵＲＬがある場合はこのＵＲＬによるＷｅｂページを取り込み、
このＵＲＬ逆引きの結果により取り込まれたＷｅｂページの中に、検索対象とすべきキーワードが含まれているかを検索し、
このキーワードに関する検索の結果によりキーワードが含まれているＷｅｂページをダウンロードする
ことを特徴とするＷｅｂページ検索方法。
【請求項２】
グローバルＩＰアドレスによる検索範囲が設定される検索範囲設定手段と、
検索対象とすべきキーワードが設定されるキーワード設定手段と、
前記検索範囲設定手段に設定された範囲のグローバルＩＰアドレスを順次指定し、この指定されたグローバルＩＰアドレスにインターネット上で接続して、指定されたグローバルＩＰアドレスのインターネットでの有無を検索するアドレス検索手段と、
このアドレス検索手段によりインターネットでの存在が検出されたグローバルＩＰアドレスから対応づけられたＵＲＬを逆引きし、該当するＵＲＬがある場合はこのＵＲＬによるＷｅｂページを取り込ませるＵＲＬ逆引き手段と、
このＵＲＬ逆引き手段の逆引き結果により取り込まれたＷｅｂページの中に前記キーワード設定手段に設定されたキーワードが含まれているかを検索するキーワード検索手段と、
このキーワード検索手段でのキーワードに関する検索結果によりキーワードが含まれているＷｅｂページをダウンロードするＷｅｂページダウンロード手段と、
を備えたことを特徴とするＷｅｂページ検索システム。
【請求項３】
アドレス検索手段は、検索結果ファイルを有し、検索時に指定されたグローバルＩＰアドレスに接続後、予め設定された時間が経過しても応答がない場合、当該グローバルＩＰアドレスは存在しないものとして前記検索結果ファイルを更新し、以後、このグローバルＩＰアドレスの検索は行なわないことを特徴とする請求項２に記載のＷｅｂページ検索システム。
【請求項４】
キーワード検索手段には、検索対象となるＷｅｂページに対応するＷｅｂサイトのトップページからの深度が指定されており、指定された深度のＷｅｂページまでキーワード検索を行うことを特徴とする請求項２に記載のＷｅｂページ検索システム。
【請求項５】
キーワード検索手段には、検索対象となるＷｅｂページでの検索を打ち切る時間が指定されており、この指定された時間が経過することにより検索を打ち切り、次のＷｅｂページの検索に移ることを特徴とする請求項２に記載のＷｅｂページ検索システム。
【請求項６】
キーワード検索手段には、検索対象となるＷｅｂページで合致するキーワードの上限数が指定されており、指定された件数分のキーワードを抽出するとそのＷｅｂページの検索を終了する請求項２に記載のＷｅｂページ検索システム。
【発明の詳細な説明】
【技術分野】
【０００１】
本発明は、公になることを嫌って意図的に検索サイトで検索されるべき対象から逃れようとしているサイトや、悪意をもって運営しているがために検索サイトで検索されるべき対象から逃れ逃れているサイトなど、サイト開設者によるなんらかの意志に従って、検索サイトが有する検索エンジンでヒットされるように公開されていないサイトを見つけ出す、コンピュータによるインターネットのＷｅｂページ検索方法及びＷｅｂページ検索システムに関する。
【背景技術】
【０００２】
近年、インターネット技術が発達し、各種の情報をインターネットから収集することが可能になってきており、それに関連し、各種の特許提案がなされている。例えば、インターネットで伝達される情報のうち、特定の条件に合致する情報を検索し、その検索結果を確実に確認できるようなシステム（例えば、特許文献1参照）や、任意の建物に対する基本情報を取得し、この基本情報に基いてインターネット上を検索し、検索結果から取得したホームページに関するアドレスのリスト（ＵＲＬが多い）でリンク集を作成して、インターネット上に存在する様々な情報を有効利用できるようにした装置（例えば、特許文献２参照）に関する提案がある。
【０００３】
ところで、このようにインターネットのＷｅｂページを検索する場合、指定したキーワードに合致する情報を探し出す「キーワード検索」と、分類されたカテゴリーの中から欲しい項目をたどっていく「ディレクトリ検索」とがある。これらは、いずれも検索サイトにて提供されているものを利用するのが一般的であった。すなわち、これらいずれかの検索方法、あるいは、それらの組合せにおいても、あらかじめ検索サイトに登録されているＷｅｂページが検索の対象となる。このため、この検索サイトに登録（いわゆるロボット型の検索サイトにおいては記録）されていないＷｅｂページを検索することは不可能であり、検索サイトが管理していない未知のＷｅｂページを検索することは、適当に入力したグローバルＩＰアドレスが偶然当たりという幸運に恵まれるか、専門的知識と工数を必要とする熟練者の作業に頼るほかなかった。
【０００４】
インターネットにおいては、公になることを嫌って意図的に検索サイトから逃れようとしているサイトや、悪意をもって運営しているがために検索サイトから逃れているサイトなど、なんらかの意志に従って、検索サイトが有する検索エンジンでヒットされるように公開されていないサイトがある。このようなサイトを見つけ出し、把握しておくことは、司法機関や徴税機関など公的機関の活動の効率化と円滑化を図ために必要となる。また、一般利用者にとっても、より専門的な知識を得ることができるなど、幅広い分野での利用が可能となる。
【０００５】
従来の検索は、ＤＮＳ（Domain Name System：TCP/IPネットワーク環境において、ホスト名から、対応するＩＰアドレス（TCP/IPネットワーク上で特定のコンピュータを識別するための番号）を取得できるようにするサービスを提供するシステム）による名前を割り当てられ解決されたＷｅｂページに対するキーワードを用いた検索が一般的であった。この他、グローバルＩＰアドレスからＵＲＬ（Uniform Resource Locator）を得る方法もあるが、ネットワーク機器に対応付けられたグローバルＩＰアドレスや未使用のグローバルＩＰアドレスなど、Ｗｅｂページに対応したグローバルＩＰアドレス以外の情報も検索するため、一般的な検索サイトで検索するような簡便な手法ではなくなる。
【０００６】
また、ポートスキャンなどのセキュリティに関する検索を行なったり、同一のグローバルＩＰアドレスに対するＩＰアドレスによる直接の接続を繰り返すことも必要となるため、不正アクセスの面などで法律面など困難な状況もある。このため、インターネットに関するある程度の知識と経験を有する技術者に限られた検索方法だったといえる。
【特許文献１】特開２００２−２４２６９号公報
【特許文献２】特開２００４−４６４８４号公報
【発明の開示】
【発明が解決しようとする課題】
【０００７】
このように従来方法では、公開されていないＷｅｂページを探し出すためには、専門的な知識が必要であり、容易に検索することが困難である。また、同一のグローバルＩＰアドレスに対してＩＰアドレスによる直接に接続を繰り返したりするので、ハッキングやクラッキングといった不正行為と間違えられることもある。したがって、誰もがインターネット上の様々な情報を、標準的な操作方法で容易に入手できるシステムが要望されていた。
【０００８】
本発明の目的は、検索サイトで提供される検索機能と同様な利用環境を提供し、検索方法の違いを意識しないで、より広範囲のＷｅｂページを検索できるＷｅｂページ検索方法及びＷｅｂページ検索システムを提供することにある。
【課題を解決するための手段】
【０００９】
本発明のＷｅｂページ検索方法は、検索範囲として設定された所定範囲のグローバルＩＰアドレスを順次指定し、この指定アドレスにインターネット上で接続して、指定されたグローバルＩＰアドレスのインターネットでの有無を検索し、この検索によりインターネットでの存在が検出されるとそのグローバルＩＰアドレスから対応付づけられたＵＲＬを逆引きし、該当するＵＲＬがある場合はこのＵＲＬによるＷｅｂページを取り込み、このＵＲＬ逆引きの結果により取り込まれたＷｅｂページの中に、検索対象とすべきキーワードが含まれているかを検索し、このキーワード検索の結果によりキーワードが含まれているＷｅｂページをダウンロードすることを特徴とする。
【００１０】
本発明のＷｅｂページ検索システムは、グローバルＩＰアドレスによる検索範囲が設定される検索範囲設定手段と、検索対象とすべきキーワードが設定されるキーワード設定手段と、前記検索範囲設定手段に設定された範囲のグローバルＩＰアドレスを順次指定し、この指定されたグローバルＩＰアドレスにインターネット上で接続して、指定されたグローバルＩＰアドレスのインターネットでの有無を検索するアドレス検索手段と、このアドレス検索手段によりインターネットでの存在が検出されたグローバルＩＰアドレスから対応づけられたＵＲＬを逆引きし、該当するＵＲＬがある場合はこのＵＲＬによるＷｅｂページを取り込ませるＵＲＬ逆引き手段と、このＵＲＬ逆引き手段の逆引き結果により取り込まれたＷｅｂページの中に前記キーワード設定手段に設定されたキーワードが含まれているかを検索するキーワード検索手段と、このキーワード検索手段でのキーワードに関する検索結果によりキーワードが含まれているＷｅｂページをダウンロードするＷｅｂページダウンロード手段とを備えたことを特徴とする。
【００１１】
本発明システムでは、アドレス検索手段は、検索結果ファイルを有し、検索時に指定されたグローバルＩＰアドレスに接続後、予め設定された時間が経過しても応答がない場合、当該グローバルＩＰアドレスは存在しないものとして前記検索結果ファイルを更新し、以後、このグローバルＩＰアドレスの検索は行なわないように構成するとよい。
【００１２】
また、本発明システムでは、キーワード検索手段には、検索対象となるＷｅｂページに対応するＷｅｂサイトのトップページからの深度が指定されており、指定された深度のＷｅｂページまでキーワード検索行うように構成するとよい。
【００１３】
また、本発明システムでは、キーワード検索手段には、検索対象となるＷｅｂページでの検索を打ち切る時間が指定されており、この指定された時間が経過することにより検索を打ち切り、次のＷｅｂページの検索に移るように構成するとよい。
【００１４】
さらに、本発明システムでは、キーワード検索手段には、検索対象Ｗｅｂページで合致するキーワードの上限数が指定されており、指定された件数分のキーワードを抽出するとそのページの検索を終了するように構成するとよい。
【発明の効果】
【００１５】
本発明によれば、グローバルＩＰアドレスを指定し、インターネット上に指定されたグローバルＩＰアドレスの存在を検索し、存在するグローバルＩＰアドレスについては、ＵＲＬを逆引き検索して、得られたＵＲＬのＷｅｂページに検索対象のキーワードが含まれているかを検索することにより、インターネット上で公開されていないＷｅｂページを容易に見つけ出すことができる。この場合、対象となるＷｅｂページに対しては１回程度の接続であるため、ハッキングやクラッキングといった不正行為と間違えられることはなく、検索したい単語あるいは文字列を指定するだけでよく、インターネットに必ずしも精通していない一般人であっても幅広い知識と教養を身に付けることができる。
【発明を実施するための最良の形態】
【００１６】
以下、本発明によるＷｅｂページ検索方法及びシステムの一実施の形態について図面を用いて説明する。
【００１７】
図１はこの実施の形態によるシステムの全体構成を示している。図１において、本システムは大略すると、インターネット１０に対する検索条件設定手段１１、検索手段１２、検索結果表示手段１３、検索結果ファイル１４を備えている。
【００１８】
検索条件設定手段１１は、検索対象となるＷｅｂページを検索するための各種条件を設定するもので、検索範囲設定手段１１１、キーワード設定手段１１２、検索条件入力手段１１３を有する。これらの詳細は後述する。
【００１９】
検索手段１２は、設定された検索条件をもとに、インターネット１０上のＷｅｂページを検索する機能であり、Ｗｅｂページごとに条件に合致するか判定し、合致した場合は、そのページをあらかじめ定められた領域に検索結果として保存(ダウンロード)する。この検索手段１２の機能としてはアドレス検索手段１２１、ＵＲＬ逆引き手段１２２、キーワード検索手段１２３、ダウンロード手段１２４を有する。これらの詳細についても後述する。
【００２０】
検索結果表示手段１３は、検索結果を表示する機能であり、保存したＷｅｂページとともに、合致した条件を表示することも可能であり、それらを印刷することも可能である。検索結果ファイル１４は、検索手段１２による各種検索結果をファイリングする。
【００２１】
まず、検索条件設定手段１１における検索範囲設定手段１１１について説明する。本発明では、インターネット１０におけるＷｅｂページの存在を検索するためにグローバルＩＰアドレスを用いている。グローバルＩＰアドレスは、周知のように、インターネットにコンピュータを接続するために、ＮＩＣ（Network Information Center）から正式に取得したＩＰアドレスで、きわめて多数であることから、目的とするＷｅｂページが存在する可能性のある範囲（例えば、国別の範囲指定など）を検索範囲として設定する。勿論、無作為に検索範囲を設定してもかまわない。検索範囲設定手段１１１は、このグローバルＩＰアドレスによる検索範囲を設定するもので、検索範囲の開始と終了を示すグローバルＩＰアドレスを入力する処理を示す。ここでは、アドレスの重複、表記などをチェックし、誤りがあった場合は、再入力を利用者に促す。
【００２２】
キーワード設定手段１１２は、インターネット１０上の目標とするＷｅｂページを特定するための検索キーワードを入力する処理を示し、キーボードなどの入力装置によってＷｅｂページを検索する単語や文章を指定する。キーワードには自然言語などのほかに、スキャナなどの入力装置やファイルにより取り込んだ図面も指定可能であり、入力された図面からテキストを抽出して検索キーワードとする。指定するキーワードは複数指定可能であり、指定した順番が検索する順番となる。すなわち、キーボードやスキャナ、さらには音声応答装置などの入力機器からの指示にしたがって、対象となるＷｅｂページの範囲、検索したい言葉や文書あるいは図表を、単独または複数指定することで検索条件を設定することができる。
【００２３】
検索条件入力手段１１３は、検索キーワードが複数ある場合の組合せ条件等を設定する処理を示す。以下の設定項目があり、設定しない場合は、あらかじめ設定する既定値を採用する。
【００２４】
（１）キーワード間の結合(ＡＮＤまたはＯＲ)。 
（２）検索するＷｅｂページのトップページからの深さ(深度)。すなわち、指定されたページ数に達した場合、それより階層が深いページの検索は行わないことを意味する。例えば、図３に示した階層化されたＷｅｂサイトページの例をもとに説明すると、深度が１の場合は、トップページのみが検索対象となるが、深度５と指定した場合は、トップページからPage2-3-1-2までの１４ページが対象となる。
【００２５】
（３）当該ページの検索を打ち切るための設定時間。すなわち、検索開始から指定時間経過しても検索が終了しない場合は、検索を打ち切って、次のＷｅｂページの検索に移る。
【００２６】
（４）当該ページで合致するキーワードの上限数。すなわち、指定された件数分のキーワードを抽出した場合、そのページの検索を終了とする。
【００２７】
次に、検索手段１２の各機能を説明する。
【００２８】
アドレス検索手段１２１は、検索範囲設定手段１１１に設定された範囲のグローバルＩＰアドレスを順次検索対象として指定する。そして、この指定されたグローバルＩＰアドレスに、インターネット１０上で接続して、指定されたグローバルＩＰアドレスの、インターネット１０での有無を検索する。
【００２９】
ＵＲＬ逆引き手段１２２は、アドレス検索手段１２１により、インターネット１０での存在が検出されたグローバルＩＰアドレスからＵＲＬを逆引きする。その結果、該当するＵＲＬがある場合はこのＵＲＬによるＷｅｂページを取り込ませる。
【００３０】
キーワード検索手段１２３は、ＵＲＬ逆引き手段１２２の逆引き結果により取り込まれたＷｅｂページの中に、前記キーワード設定手段１１２で設定されたキーワードが含まれているかを検索する。
【００３１】
Ｗｅｂページダウンロード手段１２４は、キーワード検索手段１２３の検索結果によりキーワードが含まれている場合は、そのＷｅｂページをダウンロードする。
【００３２】
以下、図２以降を用いて動作を説明する。
【００３３】
インターネット１０上のＷｅｂページを検索するに当っては、先ず、図１で示した検索条件設定手段１１により各種の条件を設定する。図２はこの検索条件設定動作を説明している。先ず、検索方法として、従来からの方法である検索サイトを利用するか、本発明による逆引き方式を利用するかを選択する（ステップ２１）。従来方法を選択した場合は、図４で示すステップ４１に進む。
【００３４】
本発明の逆引き方式を利用する場合は、先ず、検索範囲設定手段１１１に検索範囲を入力し（ステップ２２）、設定する。すなわち、検索範囲の開始と終了を示すグローバルＩＰアドレスを入力する。なお、アドレスの重複、表記などをチェックし、誤りがあった場合は、再入力を利用者に促す。次に、キーワード設定手段１１２に、キーボードなどの入力装置によってＷｅｂページを検索する単語や文章を入力し（ステップ２３）、指定する。指定されるキーワードは、自然言語などのほかに、スキャナなどの入力装置やファイルにより取り込んだ図面も指定可能である。また、キーワードは複数指定可能であり、指定した順番が検索する順番となる。
【００３５】
さらに、検索条件入力手段１１３により、その他の検索条件を入力する。すなわち、前述のように、キーワード間の結合(ＡＮＤまたはＯＲ)、Ｗｅｂサイトにおける検索するＷｅｂページのトップページからの深さ(深度) 、当該Ｗｅｂページの検索を打ち切るための設定時間、当該ページで合致するキーワードの上限数、などを設定する。
【００３６】
次に、これら検索条件の基に行なわれる検索動作を図４により説明する。
【００３７】
前述した図２の検索方式の選択（ステップ２１）において、従来方法を選択して検索サイトを使用する場合は、ステップ４１にて、ステップ５０１の処理に進む。すなわち、Google（商標）、FreshEye（商標）あるいはExcite（商標）などの従来から存在する検索サイトに接続し、この検索サイトで提供される検索結果のＷｅｂページをダウンロードする（ステップ５１１）。
【００３８】
本発明の逆引き方式を採用した場合は、検索範囲設定手段１１１に設定された検索範囲にしたがって、アドレス検索手段１２１により、インターネット１０におけるグローバルＩＰアドレスの存在を検索する。すなわち、グローバルＩＰアドレスにより設定した検索範囲の昇順にインターネット１０上のＷｅｂページに接続する（ステップ４２）。この検索において、前回の検索結果ファイル１４と比較し、前回までの検索で存在が確認されなかったグローバルＩＰアドレスに対する検索は行わないものとする。すなわち、検索時に指定されたグローバルＩＰアドレスに接続した後、予め設定された時間が経過しても応答がない場合、当該グローバルＩＰアドレスは存在しないものとして前記検索結果ファイル１４を更新し、以後、このグローバルＩＰアドレスの検索は行なわない。
【００３９】
当該アドレスが存在しない場合（ステップ４３：しない）、指定範囲内かを判断し（ステップ４９）、範囲内であればステップ４２に戻って次の指定されたグローバルＩＰアドレスに接続する。
【００４０】
これに対し、グローバルＩＰアドレスが存在した場合（ステップ４３：する）は、ＵＲＬ逆引き手段１２２により、存在したグローバルＩＰアドレスからＵＲＬを逆引きする。その結果、該当するＵＲＬがある場合は、付帯情報としてこれを取り込む（ステップ４４）。逆引きの結果、ＵＲＬが見つからなかった場合は（ルータなどはＵＲＬを持たない）、ＵＲＬの代わりにグローバルＩＰアドレスを付帯情報として取り込む。
【００４１】
次に、取り込んだＵＲＬによるＷｅｂページの中に、キーワード設定手段１１２で指定されたキーワードが含まれているかをキーワード検索手段１２３により検索する（ステップ４５）。この処理により指定キーワードが含まれていない（ステップ４６：一致しない）場合は、図３で示した検索の深度を判定し（ステップ４７）、指定深度に達していなければ、次の深度のページについて指定キーワードとの比較を繰り返す（ステップ４４，４５，４６，４７）。すなわち、ステップ４７は、探索するＷｅｂページ検索の深さを判定し、検索条件入力手段１１３により指定された深度まで検索したかを判定する。指定値に達していない場合は、検索中のＷｅｂページにリンクが張られているすべてのリンクＷｅｂページにアクセスするまで、ステップ４４以降を繰り返す。
【００４２】
なお、ステップ４４の処理において、ステップ４７から戻ってきた場合（キーワードが一致せずにステップ４７の判断で次の深さに進んだ場合）で、リンク切れが発見された場合は、直ちにステップ４７に進み次の深度に進む。その結果、リンク先が存在した場合は、ステップ４３から進んだときと同様に、ＵＲＬまたはグローバルＩＰアドレスを付帯情報として取り込み、ステップ４５に進む。
【００４３】
ステップ４５では、前述のようにキーワード検索を行い、その結果、指定キーワードと一致した場合は、合致したキーワードおよびそれを発見したＷｅｂページ内の部位を示す情報を付帯情報として取り込む。
【００４４】
このように、ステップ４５の処理結果により、該当するキーワードが発見できたときは、検索キーワードが含まれていたＷｅｂページをダウンロードし、あらかじめ定められた場所に、付帯情報とともに格納する（ステップ４８）。
【００４５】
さらに、指定範囲のグローバルＩＰアドレスについて検索が終了したかを判定し（ステップ４９）、終了していない場合は、ステップ４２以降の一連の処理を繰り返す。
【００４６】
図５は、検索結果を表示する処理の流れを示す。ステップ４８で格納されたＷｅｂページは、表示手段１３に表示される（ステップ５１）。このとき、付帯情報の表示有無を選択する（ステップ５２）。付帯情報の表示が選択されたときは付帯情報を表示する（ステップ５３）。付帯情報を表示する場合（ステップ５３）場合、表示しない場合（ステップ５２：しない）のいずれであっても、表示内容（Ｗｅｂページと付帯情報）のそれぞれの印刷有無を指定する（ステップ５４）。印刷が指定された場合（ステップ５４：する）は、印刷処理を実行し（ステップ５５）、印刷が指定されなかった場合（ステップ５４：しない）は、そのまま終了する。
【００４７】
このように、上述のＷｅｂページ検索方法及びシステムによれば、検索サイトによる一般的な検索方法と同様な方法により検索条件を設定するので、特別な教育を必要としないでもインターネットに関する特殊な技術を容易に使用することが可能になる。また、検索サイトにより検索される公開されたＷｅｂサイト以外のサイトも検索可能となり、利用者にとって幅広い対象から情報を得ることが可能となる。さらに、検索条件の設定内容によっては、非合法な商行為などの違法行為を早期に発見できるので、関係機関による的確な対応が可能となる。
【図面の簡単な説明】
【００４８】
【図１】本発明によるＷｅｂページ検索システムの一実施の形態を示すシステムブロック図である。
【図２】同上一実施の形態における検索条件設定機能を示すフローチャートである。
【図３】同上一実施の形態における検索深度を説明するリンク図である。
【図４】同上一実施の形態における検索機能を示すフローチャートである。
【図５】同上一実施の形態における検索結果表示機能を示すフローチャートである。
【符号の説明】
【００４９】
１０    インターネット
１１１    検索範囲設定手段
１１２    キーワード設定手段
１２１    アドレス検索手段
１２２    ＵＲＬ逆引き手段
１２３    キーワード検索手段
１２４    Ｗｅｂページダウンロード手段
【図１】
2006244400.tif 000003
【図２】
2006244400.tif 000004
【図３】
2006244400.tif 000005
【図４】
2006244400.tif 000006
【図５】
2006244400.tif 000007